(57)【要約】【課題】導光ピラー、不透明層、および光源を備える光源デバイスを提供する。【解決手段】導光ピラーは光入射面および発光面を有し、光入射面は発光面に隣接している。加えて、不透明層は、光入射面および発光面の外側で導光ピラーの面に配置されている。光源は光入射面の近くに配置されている。光源から放たれた光が、光入射面を介して導光ピラーに伝わり、それから、発光面から放たれる。【選択図】図１
2007199276.tif 000002
【特許請求の範囲】
【請求項１】
光源デバイスであって、
光入射面および発光面を有し、前記光入射面が前記発光面に隣接している導光ピラーと、
前記光入射面および前記発光面の外側で前記導光ピラーの表面に配置された不透明層と、
前記光入射面の近くに配置された光源とを備え、
前記光源から放たれた光が、前記光入射面を介して前記導光ピラーに伝わり、それから、前記発光面から放たれていることを特徴とする光源デバイス。
【請求項２】
前記光源が発光ダイオード（ＬＥＤ）であること特徴とする請求項１記載の光源デバイス。
【請求項３】
前記導光ピラーが円筒状ピラーまたは尖ったピラーであることを特徴とする請求項１記載の光源デバイス。
【請求項４】
前記導光ピラーが四角形ピラーであることを特徴とする請求項３記載の光源デバイス。
【請求項５】
前記不透明層の材料が塗料を含むことを特徴とする請求項１記載の光源デバイス。
【請求項６】
回路基板をさらに備え、
前記導光ピラーおよび前記光源が前記回路基板に配置されていることを特徴とする請求項１記載の光源デバイス。
【請求項７】
前記回路基板に配置された電源プラグをさらに備え、
前記電源プラグが前記回路基板を介して電源に電気的に接続されていることを特徴とする請求項６記載の光源デバイス。
【請求項８】
前記回路に配置された光源固着フレームをさらに備え、
前記光源が前記光源固着フレームによって前記回路基板に固定されていることを特徴とする請求項６記載の光源デバイス。
【請求項９】
前記導光ピラーは第１の締結構造をさらに有し、
前記回路基板が第２の締結構造を有し、
前記導光ピラーが、前記第１の締結構造および前記第２の締結構造の結合を介して前記回路基板に固定されていることを特徴とする請求項６記載の光源デバイス。
【請求項１０】
前記第１の締結構造がボルトであり、前記第２の締結構造がジャッキであることを特徴とする請求項９記載の光源デバイス。
【請求項１１】
前記第１の締結構造がジャッキであり、前記第２の締結構造がボルトであることを特徴とする請求項９記載の光源デバイス。
【発明の詳細な説明】
【技術分野】
【０００１】
本発明は光源デバイスに関する。さらに詳細には、本発明は、導光ピラーを使った光源デバイスに関する。
【背景技術】
【０００２】
ディスクトップＰＣ、ノートブック型ラップトップなどのような現代の電子デバイスは、通常はシリアルナンバーまたはトレードマークなどの形式で識別ロゴを備えている。これらの識別ロゴは、顧客が製造業者および製品モデルを識別するのに役立っている。他方で、トレードマークはまた、製造業者が自己のブランドネームを築き、模造品を避け、製品の付加価値の可能性を向上させるために有益なツールである。
【０００３】
上述のように、識別ロゴが電子製品のケース上での目立った外観を持つために、識別ロゴは、ロゴを強調するために発光デバイスを通常利用している。同時に、電子製品の全体の外観が向上される。加えて、機能表示灯もまた電子製品のケース上に配置され、その機能表示灯はまた発光デバイスを利用できる。
【発明の開示】
【発明が解決しようとする課題】
【０００４】
しかしながら、高価な発光デバイスは、電子製品の製造コストを実質的に増大させているかもしれない。それ故に、低コストおよび良好な効率の光源デバイスを開発する方法は重要な話題になっている。
【０００５】
従って、本発明は、製造コストを低減する光源デバイスを提供することに向けられている。
【課題を解決するための手段】
【０００６】
本発明は、導光ピラー、不透明層、および光源を備えた光源デバイスを提供する。そこでは、導光ピラーは光入射面および発光面を有し、光入射面は発光面に隣接している。加えて、不透明層は、光入射面および発光面の外側で導光ピラーの面に配置されている。光源は、光入射面の近くに配置されている。光源から放たれる光は、光入射面を介して導光ピラーに伝わり、そして、発光面から放たれる。
【０００７】
本発明の一態様によれば、光源はたとえば発光ダイオード（ＬＥＤ）である。
【０００８】
本発明の一態様によれば、導光ピラーはたとえば円筒状ピラーまたは尖ったピラーである。
【０００９】
本発明の一態様によれば、導光ピラーはたとえば四角形ピラーである。
【００１０】
本発明の一態様によれば、不透明層の材料はたとえば塗料である。
【００１１】
本発明の一態様によれば、光源デバイスは回路基板をさらに備えており、導光ピラーおよび光源は回路基板に配置されている。
【００１２】
本発明の一態様によれば、光源デバイスは電源プラグをさらに備えており、電源プラグは、たとえば、回路基板に配置され、その回路基板を介して電源に電気的に接続されている。
【００１３】
本発明の一態様によれば、光源デバイスは光源固着フレームをさらに備えており、光源固着フレームは回路に配置され、光源は光源固着フレームによって回路基板に固定されている。
【００１４】
本発明の一態様によれば、導光ピラーは第１の締結構造をさらに有しており、回路基板は第２の締結構造を有しており、導光ピラーは、第１の締結構造と第２の締結構造との結合を介して回路基板に固定されている。
【００１５】
本発明の一態様によれば、第１の締結構造はボルトであってもよく、第２の締結構造はジャッキであってもよい。もちろん、第１の締結構造がジャッキであり、第２の締結構造がボルトであってもよい。
【００１６】
本発明の光源デバイスは不透明層で覆われた導光ピラーを利用しているので、光源から放たれた光が光入射面を介して導光ピラーに伝わり、それから、発光面から放たれる。本発明の光源デバイスは、低い製造コストの利点を有している。
【００１７】
本発明の上述および他の目的、特徴、および利点を理解するために、図面に添付された好適な実施の形態が以下詳細に記述される。
【００１８】
前述の一般的な記述および以下の詳細な説明はともに典型的なものであり、請求項に記載された発明のさらなる説明を提供するために意図されているものであることが理解されるだろう。
【００１９】
添付図面は、発明のさらなる理解を提供するように包含され、この明細書の一部に組み込まれそれを構成する。図面は、発明の実施の形態を図示し、その説明と同時に発明の原理を説明するのに役立つものである。
【発明を実施するための最良の形態】
【００２０】
図１は、本発明の第１の実施の形態による光源デバイスの中身の詰まった概略的な図である。図１を参照すると、本発明の光源デバイス１００は、導光ピラー１１０、不透明層１２０、および光源１３０を備えている。この実施の形態では、導光ピラー１１０は光入射面１１２および発光面１１４を有しており、この実施の形態の導光ピラー１１０はたとえば四角形ピラーである。もちろん、本発明の他の好適な実施の形態では、導光ピラー１１０は、角度のあるピラー、または、円筒状または他の形状のピラーであってもよい。導光ピラー１１０の光入射面１１２は、発光面１１４に隣接している。そして、不透明層１２０は、光入射面１１２および発光面１１４の外側で導光ピラー１１０の表面に配置されている。すなわち、この実施の形態の不透明層１２０は、光入射面１１２および発光面１１４の外側で導光ピラー１１０の４つの面に配置されている。加えて、光源１３０は、導光ピラー１１０の光入射面１１２の近くに配置され、光源１３０は、たとえば、発光ダイオード（ＬＥＤ）である。光源１３０から放たれる光は、光入射面１１２を介して導光ピラー１１０に伝わり、次に、導光ピラー１１０の内側に伝播された後に発光面１１４から放たれる。
【００２１】
ここでは、光源１３０から放たれる光の伝送路が記述される。図１を参照すると、導光ピラー１１０の光入射面１１２は発光面１１４に隣接しており、不透明層１２０は光入射面１１２および発光面１１４の外側で導光ピラー１１０の表面に配置されており、光源１３０から放たれた光が光入射面１１２を介して導光ピラー１３０に伝わった後に、光は、不透明層１２０によって影響を及ぼされて不透明層１２０で覆われた導光ピラー１１０の中で反射されてもよいし、それから、導光ピラー１１０の発光面１１４から放たれる。従って、光源１３０から放たれた光は、より少ないエネルギー損失で効率的に導光ピラー１１０の発光面１１４から放たることが可能である。不透明層１２０は、噴霧法を手段として光入射面１１２および発光面１１４の外側で導光ピラー１１０の面を覆うことができ、不透明層１２０の材料は、塗料または他の不透明材料であってもよい。塗料または不透明材料の色は白、青、または他の適切な色であってもよいので、導光ピラー１１０の発光面１１４から放たれた光は、白色光または青色光などのような様々な色彩光であってもよい。
【００２２】
上述の光源デバイス１００は、本発明の唯一の実施の形態ではない。他の実施の形態は以下の中で記述され、同一の識別番号は同一要素のために用いられている。
【００２３】
図２は、本発明の第２の実施の形態による光源デバイスの中身の詰まった概略的な図であり、図３は、図２の光源デバイスの分解図である。図２および図３を参照すると、この実施の形態の光源デバイス２００は、導光ピラー１１０、不透明層１２０、および光源１３０の外側に回路基板１４０をさらに備えている。そこでは、導光ピラー１１０および光源１３０は回路基板１４０に配置されており、光源１３０は回路基板１４０に電気的に接続されている。加えて、光源２００はたとえば電源プラグ１５０を備えており、電源プラグ１５０は、電源供給器（図示せず）を電気的に接続するために利用されている。この実施の形態の電源プラグ１５０は、回路基板１４０に配置され回路基板１４０を電気的に接続されているので、エネルギーは電源プラグ１５０および回路基板１４０を介して光源１３０に伝達可能になる。従って、光源１３０は光を放つことができる。
【００２４】
以上のように、回路基板１４０に導光ピラー１１０を固定するために、導光ピラー１１０は第１の締結構造１１０ａをさらに有し、それに相当するものとして、回路基板１４０は第２の締結構造１４０ａを有する。導光ピラー１１０は第１の締結構造１１０ａと回路基板１４０の第２の締結構造１４０ａとの結合を介して回路基板１４０に固定されている。この実施の形態では、第１の締結構造１１０ａはたとえばボルトであり、第２の締結構造１４０ａはたとえばジャッキである。もちろん、第１の締結構造１１０ａがたとえばジャッキであり第２の締結構造１４０ａがたとえばボルトであってもよい。本発明は、そのような構造と、第１の締結構造１１０ａおよび第２の締結構造１４０ａの形状とに限定されない。加えて、導光ピラー１１０は、バインディング（縛ること）または他の方法によって回路基板１４０に固定することも可能である。他の態様では、光源デバイス２００は、回路基板１４０の上で導光ピラー１１０の光入射面１１２の近くに配置される光源固着フレーム１６０をさらに備えており、光源１３０は光源固着フレーム１６０に固定されている。
【００２５】
本発明の光源デバイスは、ディスクトップＰＣまたはノートブック型ラップトップなどのような電子製品に主に適用されている。上述の電子製品は、機能表示または装飾として複数の光源を通常必要としており、本発明の光源は、背面の光源さえ提供するために、電子製品の発光エリアに配置可能である。加えて、本発明の光源デバイスがモジュール設計に適用されると、異なる種類の電子製品に配置されることは都合がよい。従って、新しい種類の電子製品用の光源デバイスをそれぞれ製造するために新しいモジュールを再開発する必要がなくなる。従って、電子製品の製造コストが低減されるだろう。詳細には、本発明の光源デバイスは、モジュール化でき、その組立が容易になる。従って、発光エリアのサイズが発光デバイスより大きくならない限りは、異なるモデルの全ての電子製品は本発明の発光デバイスを適用できる。
【００２６】
他の態様では、製造業者が、外観を美しくするために、電子製品のケースにパターン化されたデザインを加えてもよいし、本発明の光源デバイスがそのケース上のパターン化されたデザインを誇張することも可能である。
【００２７】
要約すれば、不透明層で覆われた導光ピラーを使って、本発明の光源デバイスは、電子製品のデザインに従って、光源から放たれた光を照明位置に伝送する。従来の光源デバイスと比較して、本発明の光源デバイスは、低い製造コストである。他の態様では、本発明の光源デバイスがモジュール化できるとともにその組立が容易であるので、光源デバイスは、異なるモデルの電子製品に適している。さらに、新たなモデルの開発時間を節約できる。
【００２８】
当業者にとって、様々な変形および変更が本発明の範囲または趣旨から逸脱せずに本発明の構造になし得ることは理解されるだろう。前述の観点から、本発明の変形および変更が以下の特許請求およびその等価物の範囲内であるならば、本発明はそられにも及ぶものである。
【図面の簡単な説明】
【００２９】
【図１】本発明の第１の実施の形態による光源デバイスの中身の詰まった概略的な図である。
【図２】本発明の第２の実施の形態による光源デバイスの中身の詰まった概略的な図である。
【図３】図２の光源デバイスの分解図である。
【符号の説明】
【００３０】
１００    光源デバイス
１１０    導光ピラー
１１０ａ  第１の締結構造
１１２    光入射面
１１４    発光面
１２０    不透明層
１３０    光源
１４０    回路基板
１４０ａ  第２の締結構造
１５０    電源プラグ
１６０    光源固着フレーム
２００    光源デバイス
【図１】
2007199276.tif 000003
【図２】
2007199276.tif 000004
【図３】
2007199276.tif 000005
【外国語明細書】
2007199276.tif 000006
2007199276.tif 000007
2007199276.tif 000008
2007199276.tif 000009
2007199276.tif 000010
2007199276.tif 000011
2007199276.tif 000012
2007199276.tif 000013
2007199276.tif 000014
2007199276.tif 000015
2007199276.tif 000016
2007199276.tif 000017
2007199276.tif 000018
2007199276.tif 000019